(57)【特許請求の範囲】
【請求項１】
ＤＶＤの再生中においてラストメモリキーが押された場合には、再生停止位置（レジューム再生開始位置）に関する情報を含むラストメモリ情報を不揮発性メモリに記憶した後に再生動作を停止させ、当該ＤＶＤの再生開始時には当該ＤＶＤに関するラストメモリ情報に基づいて前回の再生停止位置から再生を開始させるレジューム再生機能を備えたＤＶＤ再生装置において、
ＤＶＤの再生開始時において、不揮発性メモリに当該ＤＶＤに関するラストメモリ情報が記憶されている場合には、当該ＤＶＤに関するラストメモリ情報に含まれているレジューム再生開始位置からの再生動作を開始させる前に、上記レジューム再生開始位置において表示すべき字幕情報を、当該ＤＶＤにおける上記レジューム再生開始位置より前に記録されている記録情報から検索して取得する字幕情報検索手段、
字幕情報検索手段によって上記レジューム再生開始位置において表示すべき字幕情報が取得された場合には、上記ラストメモリ情報に基づいて上記レジューム再生開始位置から再生動作を開始させるとともに字幕情報検索手段によって取得された字幕情報を表示させる手段、および
字幕情報検索手段によってレジューム再生開始位置において表示すべき字幕情報が取得されなかった場合には、上記ラストメモリ情報に基づいて上記レジューム再生開始位置から再生動作を開始させる手段、
を備えていることを特徴とするＤＶＤ再生装置。
【請求項２】
字幕情報検索手段は、上記ＤＶＤ上の上記レジューム再生開始位置から予め設定された一定時間分だけ前の所定位置までの範囲において、上記所定位置から上記レジューム再生開始位置に向かって字幕情報を検索していき、最終的に検索した字幕情報を取得するものである請求項１に記載のＤＶＤ再生装置。
【請求項３】
字幕情報検索手段は、上記ＤＶＤ上の上記レジューム再生開始位置から予め設定された一定時間分だけ前の所定位置までの所定範囲を所定長さの区間毎に区切り、上記レジューム再生開始位置に近い方の区間から字幕情報を検索していき、最初に検索した字幕情報を取得するものである請求項１に記載のＤＶＤ再生装置。
【請求項４】
ＤＶＤの再生中においてラストメモリキーが押された場合には、再生停止位置（レジューム再生開始位置）に関する情報を含むラストメモリ情報を不揮発性メモリに記憶した後に再生動作を停止させ、当該ＤＶＤの再生開始時には当該ＤＶＤに関するラストメモリ情報に基づいて前回の再生停止位置から再生を開始させるレジューム再生機能を備えたＤＶＤ再生装置において、
ＤＶＤの再生が行なわれている場合に、最新に再生した字幕情報の記録位置情報をメモリに記憶させる手段、
ＤＶＤの再生が行なわれている場合において、ラストメモリキーが押されたときには、最新に再生した字幕情報の記録位置情報をラストメモリ情報の一部として不揮発性メモリに記憶させる手段、および
ＤＶＤの再生開始時において、記憶手段に当該ＤＶＤに関するラストメモリ情報が記憶されており、かつラストメモリ情報に字幕情報の記録位置情報が含まれている場合には、ラストメモリ情報に含まれている字幕情報の記録位置情報に基づいて字幕情報を取得した後、上記ラストメモリ情報に基づいて上記レジューム再生開始位置から再生動作を開始させるとともに取得した字幕情報を表示させる手段、
を備えていることを特徴とするＤＶＤ再生装置。
【発明の詳細な説明】
【０００１】
【発明の属する技術分野】
この発明は、ＤＶＤ再生装置に関する。
【０００２】
【従来の技術】
従来、ＤＶＤ（DIGITAL VERSATILE DISK）再生装置では、大容量のディスクの再生を行い、主に長時間の映画等などのソフトディスクの再生に用いられる。この映画用ソフトディスクでは、通常本編の情報信号を１つのＴＩＴＬＥとし、それを複数個のＣＨＡＰＴＥＲに区切っている。また、映画用ソフトディスクには、本編以外にセットアップ画面、メニュー画面、製作会社のロゴ画面、コマーシャル画面、著作権等のお知らせ画面も含まれている。
【０００３】
ディスクを再生している途中に一旦再生を停止し、この後に再生を開始した場合には、ディスクの初期映像、すなわち製作会社のロゴ映像や、著作権のお知らせなどの映像が再生された後に本編が再生される。したがって、前回再生停止した箇所から映像を見たい場合には、再生映像を見ながら早送りを行なって、前回再生停止した箇所を探す必要があった。このため、前回再生停止した箇所から映像を見るためには、多くの操作と時間がかかるという問題がある。
【０００４】
そこで、これを解決するために所謂レジューム再生機能又はラストメモリ機能と呼ばれている機能を備えたＤＶＤ再生装置が既に開発されている（特開平１０−９７７６６号公報参照）。つまり、ディスクを再生中にラストメモリキーが押されると、再生停止位置（現在再生している位置）のアドレス情報、再生環境情報、ディスク固有の識別情報および再生停止日時（現在の日時）からなるラストメモリ情報を不揮発性メモリに記憶させた後に、再生が停止せしめられる。再生が停止された後に再生が開始されると、不揮発性メモリに記憶されているラストメモリ情報に基づいて、前回再生が停止された箇所から再生が開始される。
【０００５】
図３は、ディスク再生中にラストメモリキーが押された場合のＤＶＤ再生装置の動作を示している。
【０００６】
ディスク再生中にラストメモリキーが押されると（ステップ１）、再生停止位置（現在再生している位置）のアドレス情報、再生環境情報、ディスク固有の識別情報および再生停止日時（現在の日時）からなるラストメモリ情報を不揮発性メモリ１６に記憶した後（ステップ２）、ディスクの回転を停止し、装置を停止状態にする（ステップ３）。
【０００７】
図４は、ディスクの再生が開始されたときのＤＶＤ再生装置の動作を示している。
【０００８】
ディスクの再生が開始された場合には、ラストメモリが設定されているか否か、つまり、前回の再生停止時にラストメモリ情報が不揮発性メモリに格納されているか否かを判定する（ステップ１１）。
【０００９】
ラストメモリが設定されている場合には、再生を開始しようとするディスクの識別情報が、ラストメモリ情報内のディスク固有の識別情報と一致するか否かを判定する（ステップ１２）。
【００１０】
再生を開始しようとするディスクの識別情報が、ラストメモリ情報内のディスク固有の識別情報と一致した場合には、ラストメモリ情報内の再生停止位置のアドレス情報および再生環境情報に基づいて、前回再生画停止された位置（レジューム再生開始位置）から前回の再生環境と同じ再生環境で再生を開始する（ステップ１３）。
【００１１】
上記ステップ１１でラストメモリが設定されていないと判定された場合または上記ステップ１２で再生を開始しようとするディスクの識別情報が、ラストメモリ情報内のディスク固有の識別情報と一致しなかった場合には、通常再生を開始する（ステップ１４）。
【００１２】
このように、ラストメモリ機能を使用すると、前回再生が停止された箇所から再生を開始させることができる。しかしながら、字幕情報は、その字幕が画面に表示し始めるより以前にディスクに記憶されている。このため、字幕が表示された状態で再生中のアドレス情報や再生環境情報をラストメモリ機能によって不揮発性メモリに記憶した後においてレジューム再生を開始すると、字幕情報が取得できずに映像、音声情報だけが取得され再生されてしまう。そのためレジューム再生開始後、次の字幕情報を取得するまでの間は再生されている音声に対する字幕情報を取得することができずレジューム再生を開始した際にすぐに字幕を表示できないという欠点があった。
【００１３】
【発明が解決しようとする課題】
この発明は、ラストメモリ機能を使用して、前回再生が停止された箇所から再生を開始する場合に、再生開始箇所から字幕情報を表示させることが可能となるＤＶＤ再生装置を提供することを目的とする。
【００１４】
【課題を解決するための手段】
この発明による第１のＤＶＤ再生装置は、ＤＶＤの再生中においてラストメモリキーが押された場合には、再生停止位置（レジューム再生開始位置）に関する情報を含むラストメモリ情報を不揮発性メモリに記憶した後に再生動作を停止させ、当該ＤＶＤの再生開始時には当該ＤＶＤに関するラストメモリ情報に基づいて前回の再生停止位置から再生を開始させるレジューム再生機能を備えたＤＶＤ再生装置において、ＤＶＤの再生開始時において、不揮発性メモリに当該ＤＶＤに関するラストメモリ情報が記憶されている場合には、当該ＤＶＤに関するラストメモリ情報に含まれているレジューム再生開始位置からの再生動作を開始させる前に、上記レジューム再生開始位置において表示すべき字幕情報を、当該ＤＶＤにおける上記レジューム再生開始位置より前に記録されている記録情報から検索して取得する字幕情報検索手段、字幕情報検索手段によって上記レジューム再生開始位置において表示すべき字幕情報が取得された場合には、上記ラストメモリ情報に基づいて上記レジューム再生開始位置から再生動作を開始させるとともに字幕情報検索手段によって取得された字幕情報を表示させる手段、および字幕情報検索手段によってレジューム再生開始位置において表示すべき字幕情報が取得されなかった場合には、上記ラストメモリ情報に基づいて上記レジューム再生開始位置から再生動作を開始させる手段を備えていることを特徴とする。
【００１５】
字幕情報検索手段としては、たとえば、上記ＤＶＤ上の上記レジューム再生開始位置から予め設定された一定時間分だけ前の所定位置までの範囲において、上記所定位置から上記レジューム再生開始位置に向かって字幕情報を検索していき、最終的に検索した字幕情報を取得するものが用いられる。
【００１６】
字幕情報検索手段としては、たとえば、上記ＤＶＤ上の上記レジューム再生開始位置から予め設定された一定時間分だけ前の所定位置までの所定範囲を所定長さの区間毎に区切り、上記レジューム再生開始位置に近い方の区間から字幕情報を検索していき、最初に検索した字幕情報を取得するものが用いられる。
【００１７】
この発明による第２のＤＶＤ再生装置は、ＤＶＤの再生中においてラストメモリキーが押された場合には、再生停止位置（レジューム再生開始位置）に関する情報を含むラストメモリ情報を不揮発性メモリに記憶した後に再生動作を停止させ、当該ＤＶＤの再生開始時には当該ＤＶＤに関するラストメモリ情報に基づいて前回の再生停止位置から再生を開始させるレジューム再生機能を備えたＤＶＤ再生装置において、ＤＶＤの再生が行なわれている場合に、最新に再生した字幕情報の記録位置情報をメモリに記憶させる手段、ＤＶＤの再生が行なわれている場合において、ラストメモリキーが押されたときには、最新に再生した字幕情報の記録位置情報をラストメモリ情報の一部として不揮発性メモリに記憶させる手段、およびＤＶＤの再生開始時において、記憶手段に当該ＤＶＤに関するラストメモリ情報が記憶されており、かつラストメモリ情報に字幕情報の記録位置情報が含まれている場合には、ラストメモリ情報に含まれている字幕情報の記録位置情報に基づいて字幕情報を取得した後、上記ラストメモリ情報に基づいて上記レジューム再生開始位置から再生動作を開始させるとともに取得した字幕情報を表示させる手段を備えていることを特徴とする。
【００１８】
【発明の実施の形態】
以下、図面を参照して、この発明の実施の形態について説明する。
【００１９】
図１は、ＤＶＤ再生装置の概略構成を示している。
【００２０】
２はＤＶＤディスク１よりピット信号を読みとるＤＶＤ用レーザーピックアップである。６はこのレーザーピックアップ２より読み出した信号を増幅する再生ＲＦアンプである。７は再生ＲＦアンプ６の出力信号から誤り訂正等の処理を行い、圧縮されているデジタル映像信号及びデジタル音声信号を伸長するＭＰＥＧ回路である。
【００２１】
８は映像デジタル信号をアナログ信号に変換するビデオＤ／Ａ変換回路であり、９は音声デジタル信号をアナログ信号に変換するオーディオＤ／Ａ変換回路である。１０は映像信号を出力するビデオ出力端子であり、１１は音声信号を出力するオーディオ出力端子である。
【００２２】
４はスピンドルモータであり、３はスレッドモータである。５はスピンドルモータ４およびスレッドモータ３を制御するモータコントロール回路である。１２は制御回路である。制御回路１２は、モータコントロール回路５を制御するととともに再生ＲＦアンプ６からの再生信号に基づいてサーボ制御を行う。また、制御回路１２は、メカスイッチ入力端子１４とキー入力端子１５からの情報に基づいてメカニズム等の制御とシステム全体の制御を行うとともに、表示装置１３を制御する。なお、制御回路１２はマイクロコンピュータを用いたシステムコントローラによって構成されている。なお、キー入力端子１５には、リモコンからのキー信号（リモコン信号）およびＤＶＤ再生装置本体の操作部からのキー信号が入力される。
【００２３】
ディスク１を再生する場合には、レーザーピックアップ２を発光させ、ディスク１の反射面にて焦点を結ばせ、ディスク面にてフォーカスをかける。さらにスピンドルモータ４を回転させ、スピンドルサーボ、トラッキングサーボおよびスレッドサーボをかける。そしてレーザーピックアップ２によってディスク１から記録信号を読み取る。
【００２４】
読み取られた信号は、再生ＲＦアンプ６を介してＭＰＥＧ回路７へ送られ、誤り訂正、デジタル伸長等の処理が行なわれる。ＭＰＥＧ回路７によって得られた映像信号は、ビデオＤ／Ａ変換回路８によってアナログ信号に変換された後、ビデオ出力端子１０に送られる。ＭＰＥＧ回路７によって得られた音声信号は、オーディオＤ／Ａ変換回路９によってアナログ信号に変換された後、オーディオ出力端子１１に送られる。
【００２５】
不揮発性メモリ１６には、機器に必要な情報、たとえば、視聴者が選択する言語情報（音声、字幕など）、画像機器や音響機器に出力する画面選択情報（１６：９、ＰＳ（パンスキャン）、ＬＢ（レターボックス）など）および音声選択情報(DOLBY DIGIRAL、DTS 、デジタル出力など）、視聴制限情報（PARENTALなど）等が記憶される。
【００２６】
また、不揮発性メモリ１６には、ピクチャー・モード、プログラム情報、ブックマーク情報、ラストメモリ情報、記憶日時、ディスク固有の判別情報等も書き込まれる。
【００２７】
このＤＶＤ再生装置は、レジューム機能（ラストメモリ機能）を備えている。このＤＶＤ再生装置の特徴は、レジューム再生開始時から字幕を表示できる点にある。
【００２８】
図２は、ディスクの再生が開始されたときのＤＶＤ再生装置の動作を示している。
【００２９】
ディスクの再生が開始された場合には、ラストメモリが設定されているか否か、つまり、前回の再生停止時にラストメモリ情報が不揮発性メモリ１６に格納されているか否かを判定する（ステップ２１）。ラストメモリ情報が格納されてない場合には、通常再生を開始する（ステップ２９）。
【００３０】
ステップ２１で、ラストメモリが設定されている場合には、再生を開始しようとするディスクの識別情報が、ラストメモリ情報内のディスク固有の識別情報と一致するか否かを判定する（ステップ２２）。再生を開始しようとするディスクの識別情報が、ラストメモリ情報内のディスク固有の識別情報と一致しなかった場合には、通常再生を開始する（ステップ２９）。
【００３１】
ステップ２２で、再生を開始しようとするディスクの識別情報が、ラストメモリ情報内のディスク固有の識別情報と一致した場合には、字幕を表示する設定になっているか否かを判別する（ステップ２３）。字幕を表示する設定になっていない場合には、ラストメモリ情報内の再生停止位置のアドレス情報および再生環境情報に基づいて、前回再生画停止された位置から前回の再生環境と同じ再生環境で再生を開始する（ステップ２８）。
【００３２】
ステップ２３において、字幕を表示する設定になっている場合には、ラストメモリ情報内の再生停止位置のアドレス情報に基づいて、レジューム再生開始位置に音声情報が存在しているか否かを判定する（ステップ２４）。レジューム再生開始位置に音声情報が存在していない場合には、レジューム再生開始位置では字幕は存在しないと判断し、ラストメモリ情報内の再生停止位置のアドレス情報および再生環境情報に基づいて、前回再生画停止された位置から前回の再生環境と同じ再生環境で再生を開始する（ステップ２８）。
【００３３】
レジューム再生開始位置に音声情報が存在している場合には、レジューム再生開始位置では字幕が存在すると判断し、レジューム再生開始位置で表示すべき字幕情報を取得するための処理（字幕情報取得処理）を行なう（ステップ２５）。レジューム再生開始位置で表示すべき字幕情報を取得する方法としては、たとえば、次の３つの方法がある。
【００３４】
（１）第１方法
第１方法では、ディスク上のレジューム再生開始位置から予め設定された一定時間分だけ前の所定位置までの範囲において、上記所定位置からレジューム再生開始位置に向かって字幕情報を検索していき、最終的に検索した字幕情報を取得する。
【００３５】
（２）第２方法
第２方法では、ディスク上のレジューム再生開始位置から予め設定された一定時間分だけ前の所定位置までの所定範囲を所定長さの区間毎に区切り、レジューム再生開始位置に近い方の区間から字幕情報を検索していき、最初に検索した字幕情報を取得する。
【００３６】
（３）第３方法
第３方法では、その前提として、再生時において、最新に再生した字幕情報の記録位置情報をメモリに記憶させるようにする。また、ラストメモリキーが押されたときに、最新に再生した字幕情報の記録位置情報をラストメモリ情報として不揮発性メモリに記憶させるようにする。第３方法では、ラストメモリ情報に含まれている字幕情報の記録位置情報に基づいて、字幕情報を取得する。
【００３７】
字幕情報取得処理によって、レジューム再生開始位置で表示すべき字幕情報を取得できなかった場合には、ラストメモリ情報内の再生停止位置のアドレス情報および再生環境情報に基づいて、前回再生画停止された位置から前回の再生環境と同じ再生環境で再生を開始する（ステップ２８）。
【００３８】
字幕情報取得処理によって、レジューム再生開始位置で表示すべき字幕情報を取得できた場合には、取得した字幕情報を表示しながら、ラストメモリ情報内の再生停止位置のアドレス情報および再生環境情報に基づいて、前回再生画停止された位置から前回の再生環境と同じ再生環境で再生を開始する（ステップ２７）。
【００３９】
【発明の効果】
この発明によれば、ラストメモリ機能を使用して、前回再生が停止された箇所から再生を開始する場合に、再生開始箇所から字幕情報を表示させることが可能となる。
【図面の簡単な説明】
【図１】ＤＶＤ再生装置の概略構成を示すブロック図である。
【図２】ディスクの再生が開始されたときのＤＶＤ再生装置の動作を示すフローチャートである。
【図３】再生中にラストメモリキーが押された場合のＤＶＤ再生装置の動作を示すフローチャートである。
【図４】ディスクの再生が開始されたときの従来のＤＶＤ再生装置の動作を示すフローチャートである。
【符号の説明】
１  ＤＶＤディスク
２  ＤＶＤ用レーザーピックアップ
３  スレッドモータ
４  スピンドルモータ
５  モータコントロール回路
６  ＲＦアンプ
７  ＭＰＥＧ回路
１２  制御回路
１６  不揮発性メモリ
【図１】
0003813456.tif 000002
【図２】
0003813456.tif 000003
【図３】
0003813456.tif 000004
【図４】
0003813456.tif 000005